(57)【要約】【課題】  画像形成装置の作業効率及びセキュリティの向上を図る。【解決手段】  本発明によるログアウト操作は、原稿読み取りが終了して印刷が行われると有効になる。ログアウトキーが押下されると（Ｓ１）、原稿の読み取り実行中であるかが判断され（Ｓ２）、読み取り実行中であればログアウトできない旨の警告メッセージが表示される（Ｓ３）。読み取り実行中でなければ、ログアウト処理が行われる（Ｓ４）。ログアウト後は、読み取りユニットが開放され、次の原稿の読み取りに備えることができる。従って、読み取りが終了すれば、その読み取った画像データの印刷を行いながら、次の原稿の読み取りを行うことができる。【選択図】  図１
2005065200.tif 000002
【特許請求の範囲】
【請求項１】
ユーザ認証を行いログインさせる認証手段と、
原稿画像を読み取り画像データを出力する読み取り手段と、
前記読み取り手段が読み取った画像データに基づいて画像を印刷する印刷手段と、
ユーザによる各種操作を行う操作手段とを有する画像形成装置において、
前記読み取り終了後、印刷動作実行中に前記読み取り手段を開放して次の使用を可能にすると共に印刷動作を継続させるログアウトを行うログアウト手段を設けたことを特徴とする画像形成装置。
【請求項２】
前記読み取りが終了しない時に前記ログアウトを行おうとするとログアウトができない旨のメッセージを出す警告手段を設けたことを特徴とする請求項１記載の画像形成装置。
【請求項３】
前記ログアウトした状態での印刷動作実行中に、前記操作手段による所定の操作を有効にする特定のユーザを登録し管理する管理手段と、
前記所定の操作が行われたときユーザ認証を要求し、前記管理手段に基づいて認証を行う認証手段と、
前記認証された場合にその操作を有効にする制御手段とを設けたことを特徴とする請求項１又は２記載の画像形成装置。
【請求項４】
前記所定の操作は、印刷動作の中断操作であることを特徴とする請求項３記載の画像形成装置。
【請求項５】
前記所定の操作は、印刷動作のキャンセル操作であることを特徴とする請求項３記載の画像形成装置。
【請求項６】
前記所定の操作は、印刷条件設定内容の変更操作であることを特徴とする請求項３記載の画像形成装置
【請求項７】
前記画像データを記憶する記憶手段と、
前記記憶された画像データの印刷を予約する予約手段と、
前記ログアウトした状態で少なくとも１つの印刷予約が存在した場合に、前記操作手段による所定の操作を有効にする特定のユーザを登録し管理する管理手段と、
前記所定の操作が行われたときユーザ認証を要求し、前記管理手段に基づいて認証を行う認証手段と、
前記認証された場合にその操作を有効にする制御手段とを設けたことを特徴とする請求項１〜６のいずれか１項記載の画像形成装置。
【請求項８】
前記所定の操作は、印刷予約の削除操作であることを特徴とする請求項記７載の画像形成装置。
【請求項９】
前記所定の操作は、印刷予約の設定内容の変更操作であることを特徴とする請求項記７載の画像形成装置。
【請求項１０】
前記所定の操作は、印刷予約の実行順序の変更操作であることを特徴とする請求項記７載の画像形成装置。
【請求項１１】
前記印刷予約の一覧を未認証で表示する表示手段を設けたことを特徴とする請求項７〜１０のいずれか１項記載の画像形成装置。
【請求項１２】
ユーザによる各種操作を行う操作手段を有し、複数プログラムを順次実行する電子装置において、
１つのプログラムの実行終了後、次のプログラム実行中に前記１つのプログラムを開放して次の使用を可能にすると共に前記次のプログラムの実行を継続させるログアウトを行うログアウト手段を設けたことを特徴とする電子装置。
【請求項１３】
前記ログアウトした状態でのプログラム実行中に、ユーザによる所定の操作を有効にする特定のユーザを登録し管理する管理手段と、
前記所定の操作が行われたときユーザ認証を要求し、前記管理手段に基づいて認証を行う認証手段と、
前記認証された場合にその操作を有効にする制御手段とを設けたことを特徴とする請求項１２又は１３記載の電子装置。
【請求項１４】
原稿画像を読み取り画像データを出力する読み取り処理と、
読み取った画像データに基づいて画像を印刷する印刷処理と、
ユーザによる各種操作に基づく各種処理と、
前記読み取り終了後、印刷処理実行中に読み取り処理プログラムを開放して次の使用を可能にすると共に印刷処理を継続させるログアウトを行うログアウト処理とをコンピュータに実行させるプログラム。
【請求項１５】
前記ログアウトした状態での印刷処理実行中に所定の操作が行われたときユーザ認証を要求し、その所定の操作を有効にする特定のユーザを認証する認証処理と、
前記認証された場合にその操作に応じて実行される処理とをコンピュータに実行させる請求項１４記載のプログラム。
【請求項１６】
前記画像データを記憶する記憶処理と、
記憶された画像データの印刷を予約する予約処理と、
前記ログアウトした状態で少なくとも１つの印刷予約が存在した場合に、所定の操作が行われたときユーザ認証を要求し、その所定の操作を有効にする特定のユーザを認証する認証処理と、
認証された場合にその操作に応じて実行される処理とをコンピュータに実行させる請求項１４又は１５記載のプログラム。
【請求項１７】
１つのプログラムの実行終了後、次のプログラム実行中に前記１つのプログラムを開放して次の使用を可能にすると共に前記次のプログラムの実行を継続させるログアウトを行うログアウト処理をコンピュータに実行させるプログラム。
【請求項１８】
前記ログアウトした状態でのプログラム実行中に、前記所定の操作が行われたときユーザ認証を要求し、その所定の操作を有効にする特定のユーザを認証する認証処理と、
前記認証された場合にその操作に応じて実行される処理とをコンピュータに実行させる請求項１７記載のプログラム。
【請求項１９】
請求項１４、１５又は１６記載のプログラムを記録したことを特徴とするコンピュータ読み取り可能な記録媒体。
【請求項２０】
請求項１８又は１９記載のプログラムを記録したことを特徴とするコンピュータ読み取り可能な記録媒体。
【発明の詳細な説明】
【技術分野】
【０００１】
本発明は、認証機能を有し、複数のプログラムを順次に実行する画像形成装置、電子装置、これらの装置で用いられるプログラム及びコンピュータ読み取り可能な記録媒体に関するものである。
【背景技術】
【０００２】
近年、プリンタ，コピー，ファクシミリおよびスキャナなどの各装置の機能を１つの筐体内に収納した情報処理装置の一例としての画像処理装置（以下、融合機という）が知られている。この融合機は、１つの筐体内に表示部，印刷部および撮像部などを設けると共に、プリンタ，コピー，ファクシミリおよびスキャナにそれぞれ対応する４種類のソフトウェアを設け、そのソフトウェアを切り替えることより、プリンタ，コピー，ファクシミリおよびスキャナとして動作させるものである。
【０００３】
このような融合機では、プリンタ，コピー，ファクシミリ又はスキャナとして動作するときに、利用者がプリンタ，コピー，ファクシミリ又はスキャナを利用する権限を有しているかを認証機能を利用して認証すると共に、課金機能を利用して課金を行っていた。この認証機能の安全性と取り扱いの容易性とを両立させることが必要であった。また、利用者からのエントリ情報をグループ情報と関連付けて管理することが必要であった。
【０００４】
また、印刷の予約を行う場合、予約内容の削除と優先順位の変更を行う際に、パスワードの入力を要求し、予約を行ったユーザのみ予約ジョブの操作を行うことができる技術が提案されている（例えば、特許文献１参照）。
【特許文献１】特開２００１−１１１７４３号公報
【発明の開示】
【発明が解決しようとする課題】
【０００５】
本発明は、これらの技術を前提とした画像形成装置及び電子装置の作業効率及びセキュリティ向上を課題とし、特に装置の動作と認証のタイミングに関するものである。
【課題を解決するための手段】
【０００６】
本発明による画像形成装置は、ユーザ認証を行いログインさせる認証手段と、原稿画像を読み取り画像データを出力する読み取り手段と、前記読み取り手段が読み取った画像データに基づいて画像を印刷する印刷手段と、ユーザによる各種操作を行う操作手段とを有する画像形成装置において、前記読み取り終了後、印刷動作実行中に前記読み取り手段を開放して次の使用を可能にすると共に印刷動作を継続させるログアウトを行うログアウト手段を設けたことを特徴とするものである。
【０００７】
本発明による電子装置は、ユーザによる各種操作を行う操作手段を有し、複数プログラムを順次実行する電子装置において、１つのプログラムの実行終了後、次のプログラム実行中に前記１つのプログラムを開放して次の使用を可能にすると共に前記次のプログラムの実行を継続させるログアウトを行うログアウト手段を設けたことを特徴とするものである。
【０００８】
本発明によるプログラムは、原稿画像を読み取り画像データを出力する読み取り処理と、読み取った画像データに基づいて画像を印刷する印刷処理と、ユーザによる各種操作に基づく各種処理と、前記読み取り終了後、印刷処理実行中に読み取り処理プログラムを開放して次の使用を可能にすると共に印刷処理を継続させるログアウトを行うログアウト処理とをコンピュータに実行させるものである。
【０００９】
本発明によるプログラムは、１つのプログラムの実行終了後、次のプログラム実行中に前記１つのプログラムを開放して次の使用を可能にすると共に前記次のプログラムの実行を継続させるログアウトを行うログアウト処理をコンピュータに実行させるものである。
また、本発明によるコンピュータ読み取り可能な記録媒体は、上記各プログラムを記録したものである。
【００１０】
また、画像形成装置において、前記読み取りが終了しない時に前記ログアウトを行おうとするとログアウトができない旨のメッセージを出すようにしてよい。
また、前記ログアウトした状態での印刷動作実行中に、前記操作手段による所定の操作を有効にする特定のユーザを登録し管理するようにしてよい。
また、前記所定の操作が行われたときユーザ認証を要求し、前記管理情報に基づいて認証を行い、認証された場合にその操作を有効にするようにしてよい。
また、前記所定の操作は、印刷動作の中断操作、キャンセル操作、及び印刷条件設定内容の変更操作であってよい。
【００１１】
また、前記画像データを記憶すると共に、記憶された画像データの印刷を予約するようになし、前記ログアウトした状態で少なくとも１つの印刷予約が存在した場合に、前記操作手段による所定の操作を有効にする特定のユーザを登録し管理するようになし、前記所定の操作が行われたときユーザ認証を要求し、前記管理情報に基づいて認証を行うようになし、認証された場合にその操作を有効にするようにしてよい。
また、前記所定の操作は、印刷予約の削除操作、設定内容の変更操作、及び印刷予約の実行順序の変更操作であってよい。
また、前記印刷予約の一覧を未認証で表示するようにしてよい。
【００１２】
また、電子装置において、前記ログアウトした状態でのプログラム実行中に、ユーザによる所定の操作を有効にする特定のユーザを登録し管理するようになし、前記所定の操作が行われたときユーザ認証を要求し、前記管理手段に基づいて認証を行い、認証された場合にその操作を有効にするようにしてよい。
【発明の効果】
【００１３】
読み取りが完了した時点でログアウトを行い、読み取り手段を開放することによって、印刷を終了しなくても、読み取り手段に次の原稿画像の読み取りを行わせることができ、作業効率を向上させることができる。
【発明を実施するための最良の形態】
【００１４】
読み取り終了後、印刷動作実行中に読み取り手段を開放して次の使用を可能にすると共に、印刷動作を継続させるログアウトを行えるようにした。
【実施例】
【００１５】
図８は本発明の実施例による画像形成装置を示す構成図である。
自動原稿送り装置（以後ＡＤＦ）１にある原稿台２に原稿の画像面を上にして置かれた原稿束は、操作部３０上のスタートキー３４が押下されると、一番上の原稿から給送ローラ３、給送ベルト４によってコンタクトガラス６上の所定の位置に給送される。読み取りユニット５０によってコンタクトガラス６上の原稿の画像データを読み取り後、読み取りが終了した原稿は、給送ベルト４及び排送ローラ５によって排出される。さらに、原稿セット検知器７にて原稿台２に次の原稿が有ることを検知した場合、前原稿と同様にコンタクトガラス６上に給送される。給送ローラ３、給送ベルト４、排送ローラ５はモータによって駆動される。
【００１６】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。読み取りユニット５０にて読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００１７】
後処理装置のフィニシャ１００は、通常排紙ローラ１０２方向と、ステープル処理部方向に導くことができる。切り替え板１０１を上に切り替えることにより、搬送ローラ１０３を経由して通常排紙トレイ１０４側に排紙することができる。また、切り替え板１０１を下方向に切り替える事で、搬送ローラ１０５、１０７を経由して、ステープル台１０８に搬送することができる。ステープル台１０８に積載された転写紙は、一枚排紙去れるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００１８】
一方、通常の排紙トレイ１０４は前後に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。転写紙の両面に画像を作像する場合は、各給紙トレイ８〜１０から給紙され作像された転写紙を排紙トレイ１０４側に導かないで、経路切り替えの為の分岐爪１１２を上側にセットすることで、一旦両面給紙ユニット１１１にストックする。
【００１９】
その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。この様に転写紙の両面に画像を作成する場合に両面給紙ユニット１１１は使用される。
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００２０】
図９は操作部３０を示す構成図である。
操作部３０には、液晶タッチパネル３１、テンキー３２、クリア／ストップキー３３、プリントキー３４、予熱キー３５、リセットキー３６、ログアウトキー３７があり、液晶タッチパネル３１には、後述するモード設定のためのキーや画像形成装置の状態を示すメッセージなどが表示される。
【００２１】
図１０は操作部３０の液晶タッチパネル３１の表示例を示す構成図である。
オペレータが液晶タッチパネル３１に表示されたキーにタッチすることで、選択された機能を示すキーが黒く反転する。また、機能の詳細を指定しなければならない場合（例えば変倍であれは変倍値等）は、キーにタッチすることで、詳細機能の設定画面が表示される。このように、液晶タッチパネルは、ドット表示器を使用している為、その時の最適な表示をグラフィカルに行うことが可能である。
【００２２】
図１０において、左上に「コピーできます」、「お待ちください」等のメッセージを表示するメッセージエリアがあり、ここに連結コピーキー、システムステータスキーがある。そのほかには、セットした枚数を表示するコピー枚数表示部、転写紙を自動的に選択する自動用紙選択キー、コピーを一部ずつページ順にそろえる処理を指定するソートキー、コピーをページ毎に仕分けする処理を指定するスタックキー、ソート処理されたものを一部ずつ綴じる処理を指定するステープルキー、倍率を等倍にセットする等倍キー、拡大／縮小倍率をセットする変倍キー、両面モードを設定する両面キー、とじ代モード等を設定する編集キー、表紙／合紙モードを設定する表紙／合紙キー、デジタル複写機のネットワークを介して多量のプリント動作を複数に分けてプリントアウトする連結モードキーがある。
また、給紙トレイ数に対応した給紙トレイ状態を示し、手動で給紙段を設定するためのキーが給紙段分表示されている。
【００２３】
図８を用いて、本発明における画像読み取り手段、および画像を記録面上に潜像形成するまでの構成及び動作を説明する。潜像とは感光体面上に画像を光情報に変換して照射することにより生じる電位分布である。
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第２キャリッジ上に固定されている。
【００２４】
原稿像を読み取るときには、光路長が変わらないように、第１キャリッジ第２キャリッジとが２対１の相対速度で機械的に走査される。この光学走査系は、図示しないスキャナ駆動モータにて駆動される。原稿画像は、ＣＣＤイメージセンサ５４によって読み取られ、電気信号に変換されて処理される。レンズ５３及びＣＣＤイメージセンサ５４を図８において左右方向に移動させることにより、画像倍率が変わる。すなわち、指定された倍率に対応してレンズ５３及びＣＣＤイメージセンサ５４の左右方向に位置が設定される。
【００２５】
書き込みユニット５７はレーザ出力ユニット５８、結像レンズ５９、ミラー６０で構成され、レーザ出力ユニット５８の内部には、レーザ光源であるレーザダイオード及びモータによって高速で定速回転する回転多面鏡（ポリゴンミラー）が備わっている。レーザ出力ユニット５８より照射されるレーザ光は、定速回転するポリゴンミラーで偏光され、結像レンズ５９を通り、ミラー６０で折り返され、感光体面上に集光結像する。偏光されたレーザ光は感光体が回転する方向と直行する方向（主走査方向）に露光走査され、後述する画像処理部のセレクタ６４より出力された画像信号のライン単位の記録を行う。感光体の回転速度と記録密度に対応した所定の周期で主走査を繰り返すことによって、感光体面上に画像（静電潜像）が形成される。
【００２６】
上述のように、書き込みユニット５７から出力されるレーザ光が、画像作像系の感光体１５に照射される。図示しないが感光体１５の一端近傍のレーザビームを照射される位置に、主走査同期信号を発生するビームセンサが配置されている。この主走査同期信号をもとに主走査方向の画像記録開始タイミングの制御、および後述する画像信号の入出力を行うための制御信号の生成を行う。
【００２７】
本実施例における画像処理部（画像読みとり部と画像書き込み部 ）の構成について、図１１を用いて説明する。
前記露光ランプ５１から照射された光は原稿面を照射し、原稿面からの反射光を、ＣＣＤイメージセンサ５４にて結像レンズ（図示せず）により結像、受光して光電変換し、Ａ／Ｄコンバータ６１にてデジタル信号に変換する。デジタル信号に変換された画像信号は、シェーディング補正部６２で、ＭＴＦ・γ補正部６３でシェーディング補正、ＭＴＦ補正、γ補正等がなされる。
【００２８】
セレクタ６４では、画像信号の送り先を、書き込みγ補正部７１または、画像メモリコントローラ６５への切り替えが行われる。書き込みγ補正部７１を経由した画像信号は書き込みユニット５７に送られる。画像メモリコントローラ６５とセレクタ６４間は、双方向に画像信号を入出力可能な構成となっている。
【００２９】
メモリコントローラ６５等への設定や、読み取り部５０、書き込み部５７の制御を行うＣＰＵ６８、及びそのプログラムやデータを格納するＲＯＭ６９、ＲＡＭ７０を備えている。認証に関するプログラムやエントリ情報、グループ情報もこちらに格納されている。更にＣＰＵ６８は、メモリコントローラ６５を介して、画像メモリ６６のデータの書き込み、読み出しが行える。また画像メモリ６６の内容を退避させたり、保存するためのＨＤＤ７１を備え、さらにＩ／Ｏポート６７を備えている。
【００３０】
図１２は駆動部のブロック図である。
メインコントローラ２０には、前記操作部３０、各キー３２〜３５、ＡＤＦ１が接続されると共に、メインモータ２５、各クラッチ２１〜２４、が接続され、さらに連結Ｉ／Ｆ４８を接続したＩＰＵ（画像処理部）４９が接続されている。ＡＤＦ１には、搬送モータ２６、前記原稿セットセンサ７が接続されている。ＩＰＵ４９は、前記読み取りユニット５０から入力される画像データ以外にも外部から供給される画像データ（例えばパーソナルコンピュータ等のデータ処理装置から出力されるデータ）も処理できるように、複数のデータの入出力の選択を行う機能を有している。
【００３１】
次に、図１３を用いて、セレクタ６４における１ページ分の画像信号について説明する  。
／ＦＧＡＴＥは、１ページの画像データの副走査方向の有効期間を表している。／ＬＳＹＮＣは、１ライン毎の主走査同期信号であり、この信号が立ち上がった後の所定クロックで、画像信号が有効となる。主走査方向の画像信号が有効であることを示す信号が、／ＬＧＡＴＥである。これらの信号は、画素クロックＶＣＬＫに同期しており、ＶＣＬＫの１周期に対し１画素のデータが送られてくる。図１２のＩＰＵ４９は、画像入力、出力それぞれに対して別個の／ＦＧＡＴＥ、／ＬＳＹＮＣ、／ＬＧＡＴＥ、ＶＣＬＫの発生機構を有しており、様々な画像入出力の組み合わせが実現可能になる。
【００３２】
また、作業分担するために他のデジタル複写機と画像データやコマンドの送受信を行う必要があるが、これは、この実施例では画像データの送受信用にＩＥＥＥ１３９４の連結インタフェースを、コマンドの送受信用にシリアル通信ラインを用いている。図１２のメモリコントローラ２０が連結Ｉ／Ｆ４８を介してそれを実現している。
【００３３】
図１４に示す表示画面は、コピー動作条件設定画面であり、動作条件の設定を行えるようになっている。図９のプリントキー３４の押下で、図１５のコピー動作中画面に切り替わる。これは現在動作中のコピーの設定状態を表す画面である。次に行いたいコピーの予約（以下、予約コピーという）の登録が行われておらず、自動用紙選択、自動濃度、等倍、トレイ１（給紙動作中）等設定された動作モードが表示されている。
【００３４】
図１６に示す表示画面は、予約コピー操作画面であり、予約コピーの登録を行う画面である。図９の新規予約キー３８の押下により表示され、プリントキー３４の押下で予約が登録され、原稿の読み取り動作が開始する。また図中に示された解除キー４０１の押下により予約コピーを解除し、図１５の現在動作中のコピーの設定状態を表示する画面に戻すことができる。図１４、図１５および図１６における表示画面において、画面中央上部のメッセージエリアにジョブ番号を表示している。ジョブ番号はジョブを識別する為の番号で、予約するごとに１加算されていく。また、図１７は予約待機中画面である。
【００３５】
尚、予約コピーモードとは、コピー動作実行中に操作部３０を開放し、次ジョブの操作入力を可能とすると共に、コピー動作中のジョブの原稿読み込み動作が終了していれば、読み取りユニット５０のスキャナ（ＡＤＦ１を含む）を開放し、次ジョブの原稿画像読み込み動作を可能とする動作モードである。
【００３６】
初期設定キー３７が押下されると、液晶タッチパネル３１に図１８に示す画面が表示される。図示のような各設定キー３５〜３８があり、機械の初期状態を任意にカスタマイズしたり、機械が収納している用紙サイズを設定したり、コピー機能のリセットキーを押したときに設定される状態等を任意に設定可能である。
【００３７】
また、管理者設定キー３９を押下すると、液晶タッチパネル３１には図１９の管理者設定画面が表示される。ユーザ登録設定キー４０を押下すると、新規にユーザを登録したり、登録ユーザを削除できる。１ユーザ毎にユーザ名、パスワードを登録することが可能である。また、アクセスレベルキーキー４３を押下すると、ユーザごとにアクセスのレベルを変更することが可能である。アクセスレベルとしては、他人のジョブに対する操作が可能であるレベルや操作が不可能なレベルなどがあり、管理者が設定をすることができる。この情報はユーザ管理テーブルに保存される。
【００３８】
次に、実施例の請求項１〜１１に関する動作について説明する。
認証機能をＯＮにすると、図１４の通常コピー画面上に、図３の認証画面が表示される。この認証画面で入力されたユーザ名がユーザ管理テーブル(エントリ情報)に登録管理されているものと一致したとき、ユーザが認証されてログインが完了し、当該ユーザは動作を開始することができる。
【００３９】
また図２のログアウトキー３７を押下する９と、ユーザの認証が無効化され、再び図３の認証画面が表示される。このログアウト操作によりそれまで認証されていたユーザは装置の機能を使用することができなくなる。このログアウト操作は、原稿読み取りが終了すると可能となり、原稿の読み取りが終了しないうちにログアウトキー３７が押下されると、ログアウトできない旨の図４の警告メッセージが表示される。
【００４０】
ログアウトキー押下時のフローを図１に示す。
ログアウトキー３７が押下されると（Ｓ１・Ｙｅｓ）、原稿の読み取り実行中であるかが判断され（Ｓ２）、読み取り実行中であればログアウトできない旨表示される（Ｓ３）。読み取り実行中でなければログアウト処理が行われる（Ｓ４）。ログアウト後は、読み取りユニット５０は、開放され、次の原稿の読み取りに備えることができる。また、印刷動作は続行される。
【００４１】
前記ユーザ認証を行った後、コピー動作中に読み取りが終了し、印刷が実行されているときにログアウトした状態で、その印刷ジョブに対して何らかの所定の操作を行うと、前記認証画面が表示される。このときの認証は上記所定の操作が一通り終了した時点でログアウト操作を行うことなく自動的に無効化される。
【００４２】
例えばコピー動作中で読み取りが終了し、ログアウトした状態で印刷実行中に、所定の操作として図２のストップキー３３が押下された場合には、図２の中断による認証フローが行われる。
ストップキー３３が押下され中断操作が行われると（Ｓ１１）、図３の認証画面が表示される（Ｓ１２）。ここでユーザがユーザ名とパスワードを入力すると(Ｓ１３)、中断操作に対する認証が行われる。ユーザ名とパスワードがユーザ管理テーブルにおいて、印刷を実行しているユーザの中断操作を有効にするグループに所属しているものと一致した場合に（Ｓ１４，Ｓ１６，Ｓ１７，Ｙｅｓ）、印刷の中断動作が実行される。一致しない場合は、認証失敗となり（Ｓ１８）、中断は行われず印刷は続けられる。
【００４３】
また、図示しないキャンセルボタンにより実行している印刷をキャンセルできるようにした場合には、キャンセルキーが押下された時点で前記認証画面が表示され、入力されたユーザ名とパスワードがユーザ管理テーブルにおいて、印刷を実行しているユーザのキャンセル操作を有効とするグループに所属しているものと一致した場合に、実行中のジョブがキャンセルされる。
【００４４】
さらに、印刷実行中でも印刷条件の設定内容を変更できるようにした場合には、図１５において動作を設定するキーが押下された時点で認証画面が表示され、入力されたユーザ名とパスワードがユーザ管理テーブルにおいて、印刷を実行しているユーザの設定変更操作を有効にするグループに所属しているものと一致した場合に、実行しているジョブの設定が変更される。
【００４５】
また、ユーザ認証を行った後、コピー動作中に読み取りが終了し、印刷が実行されている状態でログアウトした場合は、次の予約コピーが可能となる。尚、このとき設計者の意思により、ログアウト動作がない場合は認証画面は表示させずにそのまま次の印刷の予約を同一ユーザが行うことができるようにしても良い。印刷の予約ジョブが複数発生した場合には、複数のユーザのジョブが予約ジョブとして存在することになる。
尚、例えば、前記ログアウトした状態で読み取りが行われると、その読み取った画像データは画像メモリに蓄積されるが、この蓄積された画像データについて印刷の予約をすることができる。
【００４６】
図５に示す表示画面は、ジョブ一覧画面で、現在印刷中のコピーおよび予約コピーの状態を一覧表示する。ジョブ一覧画面は、操作部３０のジョブ一覧キー３８の押下により表示される。このとき認証画面は表示されない。図５においては、印刷中のジョブの他に３つの予約ジョブが登録されていることを示している。表示中の各ジョブはキーになっており、押下することで選択状態となり、反転表示となる。反転された状態で再押下すると、反転は解除され、非選択状態に戻る。図５においては、印刷中のジョブの他に３つの予約ジョブが登録されていることを示し、予約２が選択されていることを示している。
【００４７】
各ジョブに対して選択後、前へ／後へ／内容変更／削除キー２０２，２０３，２０４，２０５が有効となる。認証がＯＮになっている場合には、この前へキー２０２、後へキー２０３が押下された時点で図３の認証画面が表示され、入力されたユーザ名とパスワードがユーザ管理テーブルにおいて、予約を行っているユーザの予約順序変更操作を有効にするグループに所属しているものと一致した場合には、予約順変更が可能となり、予約順を変更する前へキー２０２の押下により予約順がひとつ繰り上がる。但し、印刷中のジョブより前に行くことはしない。また、後ろへキー２０３の押下により予約順がひとつ繰りさがる。図５において、前へキー２０２の押下で図６のように予約１が選択される。
【００４８】
また、内容変更キー２０４が押下された場合にも、認証画面が表示され、入力されたユーザ名とパスワードがユーザ管理テーブルにおいて、予約を行っているユーザの予約内容変更操作を有効にするグループに所属しているものと一致した場合には、予約内容変更が可能となり、選択ジョブのモード選択画面に移行し、コピーモードを変更することができる。図５において、内容変更キー２０４の押下により、図１７の画面に遷移する。図１７において、一覧へ戻るキー５０１の押下で、図５のジョブ一覧表示の画面に戻ることができる。
【００４９】
さらに、削除キー２０５が押下された場合にも、認証画面が表示され、入力されたユーザ名とパスワードがユーザ管理テーブルにおいて、予約を行っているユーザの予約削除操作を有効のするグループに所属しているものと一致した場合には、予約削除が可能となり、図７のような削除画面を表示させ、削除するキーが押下されたときには指定された削除文書を解除する。
【００５０】
本実施例によれば、次の効果を得ることができる。
１）読み取りが完了した時点でログアウトを可能にすることによって、読み取り手段としての読み取りユニット５０のリソースを有効に使うことができる。
２）読み取り終了前にはログアウトできないことをユーザに認識させることができる。
【００５１】
３）ログアウト後、操作を行ってはいけない者が実行しているジョブに対してアクセスすることを防ぎ、装置のセキュリティを高めることができる。この場合、操作を行った本人でなくても例えば管理者グループに所属している利用者のように、操作権限をもつ者が実行中のジョブの操作を行うことができ、セキュリティにレベルをつけて管理することができる。
【００５２】
４）３）の効果に加え、操作を行ってはいけない者が実行しているジョブの中断操作を行うことを防ぎ、装置のセキュリティを高めることができる。
５）３）の効果に加え、操作を行ってはいけない者が実行しているジョブのキャンセル操作を行うことを防ぎ、装置のセキュリティを高めることができる。
６）３）の効果に加え、操作を行ってはいけない者が実行しているジョブの設定内容変更を行うことを防ぎ、装置のセキュリティを高めることができる。
【００５３】
７）３）の効果に加え、操作を行ってはいけない者が予約ジョブに対してアクセスすることを防ぎ、装置のセキュリティを高めることができる。
８）３）の効果に加え、操作を行ってはいけない者が予約ジョブを削除することを防ぎ、装置のセキュリティを高めることができる。
９）３）の効果に加え、操作を行ってはいけない者が予約ジョブの設定内容の変更を行うことを防ぎ、装置のセキュリティを高めることができる。
１０）３）の効果に加え、操作を行ってはいけない者が予約ジョブの実行順序の変更を行うことを防ぎ、装置のセキュリティを高めることができる。
１１）未認証でジョブの一覧表示が行われることで、自分以外のジョブも権限があれば操作することができる。
【００５４】
尚、前述した動作やフローチャートに基づく処理を、ＣＰＵが実行するためのプロラムは本発明によるプロラムを構成し、このプロラムを記憶する記憶媒体は、本発明によるコンピュータ読み取り可能な記憶媒体を構成する。この記憶媒体としては、半導体記憶装置や光学的及び／又は磁気的な記憶装置等を用いることができる。このようなプロラム及び記憶媒体を、上述した実施の形態とは異なる構成のシステム等で用い、そこのＣＰＵで上記プロラムを実行させることにより、本発明と実質的に同じ効果を得ることができる。
【産業上の利用可能性】
【００５５】
本発明は、ユーザによる各種操作を行う操作手段を有し、複数プログラムを順次実行する電子装置にも適用することができる。その場合は、１つのプログラムの実行終了後、次のプログラム実行中に前記１つのプログラムを開放して次の使用を可能にすると共に前記次のプログラムの実行を継続させるログアウトを行えるようにすることができる。
【図面の簡単な説明】
【００５６】
【図１】本発明の実施例によるログアウト操作に関する動作を示すフローチャートである。
【図２】本発明の実施例による中断操作に関する動作を示すフローチャートである。
【図３】認証画面の構成図である。
【図４】ログアウトできない旨の警告メッセージ画面の構成図である。
【図５】ジョブ一覧表示例を示す構成図である。
【図６】図５で前へキーを押した場合のジョブ一覧表示例を示す構成図である。
【図７】予約削除画面の構成図である。
【図８】本発明の実施例による画像形成装置の構成図である。
【図９】操作部の構成図である。
【図１０】液晶タッチパネルの画面表示例を示す構成図である。
【図１１】画像処理部のブロック図である。
【図１２】駆動部のブロック図である。
【図１３】１ページ分の画像データ及び関連する信号を示すタイミングチャートである。
【図１４】コピー動作条件設定画面の構成図である。
【図１５】コピー動作中画面の構成図である。
【図１６】予約コピー操作画面の構成図である。
【図１７】予約待機中画面の構成図である。
【図１８】初期設定画面の構成図である。
【図１９】管理者設定画面の構成図である。
【符号の説明】
【００５７】
１    自動原稿送り装置
２    原稿台
３０    操作部
３１    液晶タッチパネル
３４    プリントキー
３７    ログアウトキー
３８    ジョブ一覧・新規予約キー
４０    ユーザ登録設定キー
４１    認証機能設定キー
６６    画像メモリ
６８    ＣＰＵ
６９    ＲＡＭ
７０    ＲＯＭ
２０４    内容変更キー
２０５    削除キー
５０１    一覧へ戻るキー
４０１    予約解除キー
【図１】
2005065200.tif 000003
【図２】
2005065200.tif 000004
【図３】
2005065200.tif 000005
【図４】
2005065200.tif 000006
【図５】
2005065200.tif 000007
【図６】
2005065200.tif 000008
【図７】
2005065200.tif 000009
【図８】
2005065200.tif 000010
【図９】
2005065200.tif 000011
【図１０】
2005065200.tif 000012
【図１１】
2005065200.tif 000013
【図１２】
2005065200.tif 000014
【図１３】
2005065200.tif 000015
【図１４】
2005065200.tif 000016
【図１５】
2005065200.tif 000017
【図１６】
2005065200.tif 000018
【図１７】
2005065200.tif 000019
【図１８】
2005065200.tif 000020
【図１９】
2005065200.tif 000021